(57)【要約】【課題】商品収納ラックに収容された商品の脱落を防止するとともに商品補充の際における扉体の開閉作業を容易にすることが可能な自動販売機の商品収納ラックを提供する。【解決手段】前面が開口した本体キャビネットの庫内に引出し自在に格納され、商品を収容する商品収納ラック４を備え、前記商品収納ラック４が側部開口面から商品を積み上げて収納されるラックケースと、このラックケースの開放面を閉塞する扉体１０を備えた自動販売機の商品収納ラックであって、前記扉体１０を上下方向に複数の扉体１０ａ，１０ｂに分割し、上部側の分割扉体１０ｂを下部側の分割扉体１０ｂに対して独立して開閉自在として空になった領域に対応する分割扉体を開放して商品の補充を行えるようにするとともに下部側の分割扉体１０ａの開閉に連動して上部側の分割扉体１０ｂを開閉可能とすることにより扉体を一括して開閉できるようにする。【選択図】図１
2007193468.tif 000002
【特許請求の範囲】
【請求項１】
前面が開口した本体キャビネットと、前記本体キャビネットの庫内に引出し自在に格納され、商品を収容する商品収納ラックとを備え、前記商品収納ラックは、側部開口面から商品を積み上げて収納されるラックケースと、このラックケースの開放面を閉塞する扉体を備えた自動販売機の商品収納ラックにおいて、
前記扉体を上下方向に複数の扉体に分割し、上下に隣接する分割扉体のうち上部側の分割扉体は下部側の分割扉体に対して独立して開閉自在となすとともに下部側の分割扉体の開閉に連動して開閉することを特徴とする自動販売機の商品収納ラック。
【請求項２】
請求項１記載の自動販売機商品収納ラックにおいて、上下に分割されたそれぞれの分割扉体は上下方向にスライド自在に軸支され、上下に隣接する分割扉体のうち下部側の分割扉体の上端には上部側の分割扉体の開放を阻止するストッパ部を有し、上部側の分割扉体の下端には常時は下部側の分割扉体と係合するとともに上方にスライドした際に下部側の分割扉体との係合が解除される係合部を有することを特徴とする自動販売機の商品収納ラック。
【発明の詳細な説明】
【技術分野】
【０００１】
この発明は、本体キャビネットの庫内に商品収納ラックが引出し自在に収納され、前記商品収納ラックを庫内から引出した状態で紙パック，缶，瓶，ペットボトルなどの各種商品を補充するようにした自動販売機の商品収納ラックに関する。
【背景技術】
【０００２】
従来、自動販売機に搭載される商品収納ラックに関して、本体キャビネットの庫内に商品収納ラックが引出し自在に収納され、前記商品収納ラックを庫内から引出した状態で紙パック，缶，瓶，ペットボトルなどの各種商品を補充するようにした商品収納ラックが知られており、この種の商品収納ラックを搭載した自動販売機の構成を図８に示す。図において、１は前面が開口した箱形の断熱筐体としてなる自動販売機の本体キャビネットであり、該本体キャビネット１にはその前面開口を閉塞する片開き式の外扉２が取付けられている。前記本体キャビネット１の庫内は、仕切壁１ａにより左右に並ぶ複数の商品収納室（この例では２室）に仕切られており、各商品収納室ごとに商品収納ラック４、商品搬出シュータ５および冷却／加熱ユニット（不図示）が上下方向に収設されている。なお、３は庫内前面を閉塞する内扉、３ａは前記商品搬出シュータ５と商品取出口２ａを連係して内扉３に開口したフラッパ付きの商品搬出口、６は商品収納室内の冷却ユニットと冷凍サイクルを構成する凝縮器，圧縮機などを収納した機械室であり、前記外扉２の前面には、周知のように、硬貨投入口，紙幣投入口，金銭返却レバー，釣銭返却口，商品取出口，ロック付きハンドルなどが設けられている。
【０００３】
前記商品収納ラック４の構成を図９に示し、図９は商品収納ラック４を右斜め上面より見た斜視図である。商品収納ラック４は、一側面（右側面）および底面を開放した箱型のラックケース４ａの内部に仕切壁４ｂを挟んで前後に商品収納コラム４ｃを画成し、仕切壁４ｂの下部にベンド機構７を組付けて構成され、各商品収納コラム４ｃの開放面には積み重ねて収容された商品の脱落を防止する扉体（不図示）を備えている。また、ベンド機構７は周知のように下部フラッパ７ａおよび上部フラッパ７ｂを備え、仕切壁４ｂに内蔵された不図示のベンドモータにより下部フラッパ７ａおよび上部フラッパ７ｂを選択的に制御して各商品収納コラム４ｃに収納された商品を個別に搬出するように構成されている。
なお、図９において、８は商品の高さサイズに応じて上部フラッパ７ｂを上下方向に移動させて上部フラッパ７ｂの高さ位置を設定する高さ調節機構であり、また、図には示していないがラックケース４ａの前壁および後壁には商品収納コラム４ｃ内に配設された通路幅調整板をリンク機構を介して商品通路に出没させて商品通路幅を設定する通路幅調整機構が設けられている。
【０００４】
図８に示すように前記商品収納ラック４は本体キャビネット１の庫内に引出し自在に格納されている。すなわち、良く知られているように本体キャビネット１の庫内天井にはレールが固定されている一方、商品収納ラック４の上端には前記レールに摺動自在に結合されたスライダが固定され、商品収納ラック４に設けた把手を引っ張ることにより商品収納ラック４を庫内から引出すことができる。前記商品収納ラック４への各種商品の補充は、オペレーターが庫内から商品収納ラック４を引出した上で各商品収納コラム４ｃの開放面を閉塞している扉体を開放し、この状態で商品、図８の例では紙パック商品９ａ，缶９ｂを各商品収納コラム４ｃに装填して積み上げ収容し、扉体を閉じて商品収納ラック４を庫内に戻す。
【０００５】
ところで、前述した商品収納ラック４への商品の補充はオペレータが商品を１個または数個ずつ手に持って各商品収納コラム４ｃに装填して積み上げられる。商品収納コラム４ｃに装填され積み上げられた商品はラックケース４ａにより束縛されることなく動き得る状態で収容されていることから不安定な状態にある。したがって、商品が補充されて積み上げられるごとに商品収納コラム４ｃの開放面側に徐々に傾斜し、遂には崩れて脱落してしまうおそれがある。そこで、この商品の脱落を防止するため、扉体を上下方向に分割するとともに分割された分割扉体をそれぞれ独立して開閉可能とし、下部領域の分割扉体の上端に対応する位置まで商品が完了すると当該下部領域の分割扉体を閉じて商品の脱落を防止したものが知られている（例えば、特許文献１）。
【特許文献１】特開平４−３４７７９２号公報
【発明の開示】
【発明が解決しようとする課題】
【０００６】
前述したように商品収納コラムの開放面を閉塞する扉体を上下分割式として分割扉体をそれぞれ独立して開閉可能なものにあっては、商品収納コラムにおける空になった領域に対応する分割扉体を開放して商品の補充を行うことができるので当該領域から下方に積み上げられた商品の脱落を防止することができる。ところで、商品の売切れ時や自動販売機の設置時或いは商品収納ラック内の商品を販売中の商品とは異なる商品に変更する商品の入れ替え時（この場合、商品収納コラム内の商品はオペレーターの操作によってすべて搬出される）などにあっては商品収納ラック内には商品が収納されておらず、下部フラッパ７ａ（図９参照）の上に商品を一から補充するようになる。このような場合、上下分割式とした分割扉体をそれぞれ独立して開閉する従来装置にあっては分割扉体をそれぞれ開閉せねばならない。したがって、従来装置においては商品補充の際に分割扉体をそれぞれ開閉せねばならないので手間がかかるという解決すべき課題を有する。
【０００７】
そこで、本発明は上記の点に鑑みなされたものであり、商品収納ラックに収容された商品の脱落を防止するとともに商品補充の際における扉体の開閉作業を容易にすることが可能な自動販売機の商品収納ラックを提供することを目的とする。
【課題を解決するための手段】
【０００８】
上記目的を達成するために本発明は、前面が開口した本体キャビネットと、前記本体キャビネットの庫内に引出し自在に格納され、商品を収容する商品収納ラックとを備え、前記商品収納ラックは、側部開口面から商品を積み上げて収納されるラックケースと、このラックケースの開放面を閉塞する扉体を備えた自動販売機の直積式商品収納ラックにおいて、前記扉体を上下方向に複数の扉体に分割し、上下に隣接する分割扉体のうち上部側の分割扉体は下部側の分割扉体に対して独立して開閉自在となすとともに下部側の分割扉体の開閉に連動して開閉するようにしたことを特徴とする（請求項１）。
【０００９】
この場合、上下に分割されたそれぞれの分割扉体は上下方向にスライド自在に軸支され、上下に隣接する分割扉体のうち下部側の分割扉体の上端には上部側の分割扉体の開放を阻止するストッパ部を有し、上部側の分割扉体の下端には常時は下部側の分割扉体と係合するとともに上方にスライドした際に下部側の分割扉体との係合が解除される係合部を有するものとすることができる（請求項２）。
【発明の効果】
【００１０】
本発明の請求項１に記載した自動販売機の商品収納ラックによれば、上下に隣接する扉体のうち上部側の分割扉体は下部側の分割扉体に対して独立して開閉自在であることから、商品収納コラムにおける空になった領域に対応する分割扉体を開放して商品の補充を行うことができるので当該領域から下方に積み上げて収容された商品の脱落を防止することができ、また、上部側の分割扉体を下部側の分割扉体の開閉に連動して開閉可能であることから、商品の売切れ時や自動販売機の設置時或いは商品収納ラック内の商品を販売中の商品とは異なる商品に変更する商品の入れ替え時などのようにベンドメックの下部フラッパの上に商品を一から補充するような場合には下部側の分割扉体を開閉することにより上部側の分割扉体が下部側の分割扉体に連動して開閉、すなわち、下部側の分割扉体を開閉することにより上部側の分割扉体を一括して開閉できるので扉体を開閉する手間を最小限とすることができる効果を有する。
【発明を実施するための最良の形態】
【００１１】
以下、本発明の実施の形態を図面に示す実施例に基づいて説明する。図１は本発明の一実施例を示す自動販売機の商品収納ラックの側面図、図２は図１の扉体の開閉状態を示す動作説明図である。なお、図において、図８，図９と同一のものには同一の符号を付してその説明は省略する。
【００１２】
図１において、４で再び商品収納ラックを示し、この実施例では前後方向に２個の商品収納ラック４が設けられている。各商品収納ラック４の上端（天井板）はそれぞれスライダ１２に結合され、このスライダ１２が本体キャビネット１（図８参照）の庫内天井に固定されたレールに摺動自在に結合され、商品収納ラック４の前面に設けた把手１４を引っ張ることにより商品収納ラック４を庫内から引出すことができる。商品収納ラック４は、一側面（図１では手前側）および底面を開放した箱型のラックケース４ａ（図９参照、以下同様にラックケース４ａは図９を参照するものとする）の内部に仕切壁４ｂを挟んで前後に前壁４ｄおよび後壁４ｅを有し、仕切壁４ｂの下部に高さ調節機構８（図９に示すベンド機構７の上部フラッパ７ｂの高さ位置を商品の高さサイズに合わせて設定する機構）が組付けられ、前記前壁４ｄおよび後壁４ｅには商品収納コラム内に配設された不図示の通路幅調整板をリンク機構を介して商品通路に出没させて商品通路幅を設定する通路幅調整機構９が組付けられている。また、商品収納ラック４の開放面には積み重ねて収容された商品の脱落を防止する扉体１０を備えている。
【００１３】
前記扉体１０はこの実施例では上下方向に下部扉体１０ａと上部扉体１０ｂとに分割され、仕切壁４ｂ，後壁４ｄに固着されたそれぞれのヒンジ金具１１に挿通されたヒンジピン（後述する図２にて詳述）を支点として開閉可能に、かつ、上下方向にスライド自在に配設されている。前記ヒンジ金具１１がラックケース４ａの仕切壁４ｄ，後壁４ｅに固着されているのは下部および上部扉体１０ａ，１０ｂが後端側（図１では右端側）を支点として開閉するように構成することによって、扉体１０を開放した状態において不測の事態により商品収納ラック４が庫内に押し込まれた場合にも扉体１０が隣接する商品収納ラック或いは本体キャビネットの側壁に当接して自動的に閉じられるようにするためである。なお、仕切壁４ｄと前壁４ｅにおける上下方向の上部および略中間部位に形成された上下方向に長い長穴４ｆには下部および上部扉体１０ａ，１０ｂに設けた係止爪（詳細は後述する）が進入するとともに下部および上部扉体１０ａ，１０ｂの下降位置へのスライドによって係止爪が係合し、これにより下部および上部扉体１０ａ，１０ｂの閉塞状態を維持するものである。
【００１４】
図２は図１に示す扉体１０の組立図であり、（ａ）は閉じられた扉体１０を右側面から見た斜視図、（ｂ）は開けられた扉体１０を背面側から見た斜視図、（ｃ）は（ａ）における上部扉体１０ｂを開けた斜視図である。
前記扉体１０は薄板鋼板を短冊状に裁断して断面略コ字状に形成され、後端側（図では右端側）の脚片には円筒状に湾曲形成した軸受部１０１，１０２，１０３（以下、カール状の軸受部とも言う）が形成され、前端側（図では左端側）に下方に突出する係合部１０４が形成されている。前記カール状の軸受部１０２，１０３の間にはヒンジ金具１１が配置されている。このヒンジ金具１１は図１で説明したようにラックケース４ａの仕切壁４ｂ，後壁４ｅにそれぞれ固着されるとともにカール状の軸受部１１ａを有する。１３，１４，１５はそれぞれヒンジピンであり、ヒンジピン１３は下部扉体１０ａの軸受部１０１に挿通され、ヒンジピン１４は上部扉体１０ｂの軸受部１０１と下部扉体１０ａの軸受部１０２，１０３およびヒンジ金具１１の軸受部１１ａに挿通され、ヒンジピン１５は上部扉体１０ｂの軸受部１０２，１０３と前記ヒンジ金具１１の軸受部１１ａに挿通されている。なお、前記各ヒンジピン１３〜１５は上下方向に延在する同一の軸線上に配設されるように構成されている。
【００１５】
ここで、下部および上部扉体１０ａ，１０ｂの軸受部１０１，１０３の構造について図３を用いて説明する。なお、図３においては下部補強金具１１１および上部補強金具１１２については省略している。
図３において、軸受部１０３はその上部側に切欠き１０３ａにより形成された係止片１０３ｂを有し、一方、軸受部１０１はその下部側に切欠き１０１ａにより形成された係止片１０１ｂを有する。前記軸受部１０３，１０１における係止片１０３ｂ，１０１ｂとの関係は、軸受部１０３の上端に軸受部１０１を配設した状態、すなわち、下部および上部扉体１０ａ，１０ｂをラックケース４ａに組付けた状態において、上部および下部扉体１０ａ，１０ｂを閉じた状態にある場合に上部扉体１０ｂにおける軸受部１０１の係止片１０１ｂが下部扉体１０ａにおける軸受部１０３の切欠き１０３ａに嵌り込むと同時に下部扉体１０ａにおける軸受部１０３の係止片１０３ｂは上部扉体１０ｂにおける軸受部１０１の切欠き１０１ａに嵌り込んでそれぞれ係合するように構成されている。
【００１６】
また、図３には下部扉体１０ａを保持するとともに下部扉体１０ａの軸受部１０１に挿通されたヒンジピン１３（図２参照）の軸受を形成した取付金具１６がされている。この取付金具１６は図１に示すように、ラックケース４ａの下端に、その開放面を横切るように延在して配置されたものである。取付金具１６は薄板鋼板を折り曲げて形成され、ラックケースに固着される固着部１６１と、この固着部１６１に対して直角に折り曲げて形成された蓋体支持部１６２と、この蓋体支持部１６２から切り起こされたストッパ片１６３とからなる。前記蓋体支持部１６２の所定位置には下部扉体１０ａの軸受部１０１に挿通されたヒンジピン１３が貫通する軸受穴１６２ａが穿孔されている。さらに、前記ストッパ片１６３には下部蓋体１０ａの下端と摺接するスライド面１６３ａと、このスライド面１６３ａより一段高い回動阻止片１６３ｂが形成されている。これらのスライド面１６３ａと回動支持片１６３ｂの機能については後述する動作の説明で詳述する。
【００１７】
図２に戻り、下部および上部扉体１０ａ，１０ｂの上下両端には下部補強金具１１１と上部補強金具１１２がスポット溶接等により固着されている。上部補強金具１１２は図４に示すように扉体１０のコ字状部に嵌め込んでスポット溶接される固着部１１２ａと、固着部１１２ａの上片を、その断面が固着部１１２ａとともにＺ字を形成するように上方に折り曲げられたストッパ片１１２ｂと、扉体１０のコ字状脚片に沿うように固着部１１２ａから前方（図４（ａ）および図２では左方）に張り出した連結部１１２ｃの前端に設けた係止爪１１２ｄとからなり、この係止爪１１２ｄは図１に示した仕切壁４ｂ若しくは前壁４ｄの上部および略中央部位にそれぞれ形成された上下方向に長い長穴４ｆに係合・離脱するように構成されている。なお、連結部１１２ｃの下方に張り出した補強片１１２ｅは扉体１０における軸受部とは反対側の脚片に固着して扉体１０を補強するものである。一方、下部補強金具１１１は図５に示すように扉体１０のコ字状部に嵌め込んでスポット溶接される固着部１１１ａと、固着部１１１ａの後端側（図５では右端側）に扉体１０の軸受部１０１の近傍に固着して補強する軸受補強片１１１ｂと、前記固着部１１１ａ，軸受補強片１１１ｂの下方から右端側（図５では手前側）に折り曲げたスライド補強片１１１ｃとから成る。前記下部および上部補強金具１１１，１１２の取付状態は図６，７に拡大して示している。
【００１８】
次に、下部および上部補強金具１１１，１１２が取付けられた扉体１０のラックケース４ａへの組付けについて説明する。ここで、ヒンジ金具１１は図１示すようにラックケース４ａの仕切壁４ｂ若しくは後壁４ｅの所定位置に固着されているものとする。
先ず、下部扉体１０ａの上端に固着された補強金具１１２の係止爪１１２ｄをラックケース４ａの仕切壁４ｂ或いは前壁４ｄに形成された上下方向に長い長穴４ｆ（図１参照）に進入させた後、下部扉体１０ａの軸受部１０１と取付金具１６の軸受穴１６２ａ（図３参照）とが対峙するように下部扉体１０ａを下方にスライドさせて下部扉体１０ａを取付金具１６の蓋体支持部１６２の上に載置し、下部扉体１０ａの軸受部１０１の上端側からヒンジピン１３を挿入してこのヒンジピン１３を取付金具１６の軸受穴１６２ａに貫通させる。前述した下部扉体１０ａの下方へのスライド移動により下部扉体１０ａに固着された上部補強金具１１２の係止爪１１２ｄが下方に移動して長穴４ｆと係合し、下部扉体１０ａがラックケース４ａの開放面に仮止めされる。この状態で下部扉体１０ａの軸受部１０２，１０３の間にヒンジ金具１１の軸受部１１ａ（図２または図６，７参照）が位置している。
【００１９】
次いで、上部扉体１０ｂに固着された補強金具１１２の係止爪１１２ｄをラックケース４ａの仕切壁４ｂ或いは前壁４ｃに形成された上下方向に長い長穴４ｆ（図１参照）に進入させた後、上部扉体１０ｂの下端が下部扉体１０ａに固着された上部補強金具１１２におけるストッパ片１１２ｂの背後に位置するように下方にスライド移動させる。これに伴い前記係止爪１１２ｄが下方に移動することにより長穴４ｆと係合して上部扉体１０ｂがラックケース４ａに仮止めされる。この状態で上部扉体１０ｂの軸受部１０１の上端側からヒンジピン１４を挿入し、このヒンジピン１４を下部扉体１０ａの軸受部１０３とヒンジ金具１１の軸受部１１ａとを介して下部扉体１０ａの軸受部１０２に挿入させる。これにより下部扉体１０ａのラックケース４ａへの組付けが完了する。一方、ラックケース４ａに仮止めされた上部扉体１０ｂの軸受部１０３，１０２の間にはヒンジ金具１１の軸受部１１ａが位置しているので、上部扉体１０ｂにおける軸受部１０３の上端側からヒンジピン１５を挿入し、このヒンジピン１５をヒンジ金具１１の軸受部１１ａを介して軸受部１０２に挿入させる。これにより上部扉体１０ｂのラックケース４ａへの組付けが完了する。
【００２０】
前述したようにラックケース４ａに組付けられた下部および上部扉体１０ａ，１０ｂがラックケース４ａの開放面を閉塞した状態（図１、図２（ａ））では、下部扉体１０ａの下端が図３に示した取付金具１６の蓋体支持部１６２の上に載置された下降位置に位置するとともに下部扉体１０ａの下部が取付金具１６のストッパ片１６３の背後に位置し、また、下部扉体１０ａに固着された上部補強金具１１２の係止爪１１２ｄがラックケース４ａの仕切壁４ｂ或いは前壁４ｃに形成した長穴４ｆに係合していることにより下部扉体１０ａは回動が阻止されている。また、上部扉体１０ｂの下端が下部扉体１０ａのストッパ片１１２ｂの背後に下降した下降位置に位置するとともに上部扉体１０ｂに固着された上部補強金具１１２の係止爪１１２ｄがラックケース４ａの仕切壁４ｂ或いは前壁４ｃに形成した長穴４ｆに係合していることにより上部扉体１０ｂも回動が阻止されている。この時、下部扉体１０ａの軸受部１０３と上部扉体１０ｂの軸受部１０１とにあっては、下部扉体１０ａにおける軸受部１０３の切欠き１０３ａ（図３参照）に上部扉体１０ｂにおける軸受部１０１の係止片１０１ｂ（図３参照）が、また、上部扉体１０ｂにおける軸受部１０１の切欠き１０１ａに下部扉体１０ａにおける軸受部１０３の係止片１０３ｂが嵌り込んでいる。
【００２１】
次に、扉体１０の開閉動作について説明する。先ず、下部および上部扉体１０ａ，１０ｂがラックケース４ａの開放面を閉塞した状態（図１）から、下部および上部扉体１０ａ，１０ｂを一括して開放する動作について説明する。この場合には、図６に拡大して示した下部扉体１０ａに固着された上部補強金具１１２のストッパ片１１２ｂの下方に指を入れて下部扉体１０ａを上方へ引上げると、それぞれ下降位置にある下部および上部扉体１０ａ，１０ｂがヒンジピン１３〜１５とともに上方へスライドする。下部扉体１０ａの下端が図３に示した取付金具１６のストッパ片１６３におけるスライド面１６３ａの位置を越える位置まで上昇させると、下部および上部扉体１０ａ，１０ｂに固着された上部補強金具１１２の係止爪１１２ｄとラックケース４ａの仕切壁４ｂ或いは前壁４ｃに形成した長穴４ｆとの係合が解除される。なお、この状態ではそれぞれの係止爪１１２ｄの先端は未だ長穴４ｅの中に進入した状態にある。前述したように下部および上部扉体１０ａ，１０ｂを上昇させた状態を維持しつつ下部扉体１０ａをヒンジピン１３，１４を支点として反時計方向に回動させると、上部扉体１０ｂの係合部１０４が下部扉体１０ａの上端と重畳していることから上部扉体１０ｂもヒンジピン１４，１５を支点として下部扉体１０ａに連動して回動する。
【００２２】
下部扉体１０ａの回動が進み、下部扉体１０ｂの下端が取付金具１６のストッパ片１６３におけるスライド面１６３ａに上下方向に重なる位置まで回動すると、下部扉体１０ａがスライド面１６３ａの上に載ることによって下部扉体１０ａから手を離しても下部扉体１０ａは上昇位置に保持される。前述したようにスライド面１６３ａに下部扉体１０ａを載せた状態で下部扉体１０ａ（若しくは上部扉体１０ｂ）を反時計方向に回動させると下部扉体１０ａに固着された下部補強金具１１１のスライド補強片１１１ｃがスライド面１６３ａを滑動することにより扉体１０の上昇状態を維持しつつ回動させることができる。そして、下部扉体１０ａが取付金具１６の回動阻止片１６３ｂに当接する位置まで回動させることによりラックケース４ａの開放面が全開される（図２（ｂ））。この場合、下部および上部扉体１０ａ，１０ｂの開放停止角度は、商品補充の容易性および扉体１０を開放した状態で不測の事態により商品収納ラック４が庫内に押し込まれた場合に扉体１０が自動的に閉じるようにするために９０度〜１２０度の範囲が望ましい。なお、下部および上部扉体１０ａ，１０ｂに固着された上部補強金具１１２の係止爪１１２ｄはスライド面１６３ａに下部扉体１０ａを載せた状態で下部および上部扉体１０ａ，１０ｂを反時計方向に回動させる途中において長穴４ｅから離脱する。また、前記スライド面１６３ａと接する下部扉体１０ａの下端には下部補強金具１１１のスライド補強片１１１ｃが配設されており、このスライド補強片１１１ｃがスライド面１６３ａと接触するように構成されているので、蓋体１０の板厚を薄くすることができる。さらに、下部扉体１０ｂをスライド面１６３ａの上に載せることによって扉体１０から手を離しても扉体１０の上昇状態を保持することができるので、商品を補充する作業員の負担を軽減することができる。
【００２３】
下部扉体１０ａを引上げて下部および上部扉体１０ａ，１０ｂを一括して開放した後、ラックケース４の商品収納コラム４ｃ（図９参照）に商品が装填され、下部扉体１０ａの上端に対応する位置まで商品が積み上げられると下部扉体１０ａを閉じて商品の脱落を防止する。この場合、下部扉体１０ａに固着された上部補強金具１１２のストッパ片１１２ｂの背後に上部扉体１０ｂの下端部が位置していることから、下部扉体１０ａを閉じようとすると前記ストッパ片１１２ｂによって上部扉体１０ｂも閉じることになる。そこで、図２（ｂ）のように開放状態にある扉体１０に対して、先ず、上部扉体１０ｂのストッパ片１１２ｂの下方に指を入れて上部扉体１０ｂを上方へ引上げ、下降位置にある上部扉体１０ｂをヒンジピン１４，１５とともに上方へスライドさせて上部扉体１０ｂの下端が下部扉体１０ａに固着された上部補強金具１１２のストッパ片１１２ｂの上端位置を越える位置まで上昇させる。このように上部扉体１０ｂを上昇させた状態を維持しつつ下部扉体１０ａをヒンジピン１３，１４を支点として時計方向に回動させ、下部扉体１０ａの前記ストッパ片１１２ｂが上部扉体１０ｂに固着された下部補強金具１１１のスライド補強片１１１ｃに上下方向に重なる位置まで回動させると上部扉体１０ｂから手を離しても上部扉体１０ｂを上昇させた状態が維持される。この後、下部扉体１０ａに連れ周りしないように上部扉体１０ｂの回動を阻止しつつ下部扉体１０ａを時計方向に回動させ、下部扉体１０ａの下端が取付金具１６におけるストッパ片１６３（図３参照）のスライド面１６３ａから外れると下部扉体１０ａ（および上部１０ｂ）が下方にスライドして下部扉体１０ａが取付金具１６の蓋体支持部１６２に支持される下降位置まで下降する。ここで、下部扉体１０ａに固着された上部補強金具１１２の係止爪１１２ｄは下部扉体１０ａの下端が取付金具１６におけるストッパ片１６３（図３参照）のスライド面１６３ａから外れる直前にラックケース４ａの仕切壁４ｂ或いは前壁４ｃに形成した長穴４ｆ（図１参照）に進入し、下部扉体１０ａが下方にスライドすることによって長穴４ｆに係合し、下部扉体１０ａがラックケース４の開放面を閉塞した状態に保持する。
【００２４】
また、下部扉体１０ａを閉じる途中において、上部扉体１０ｂに固着された下部補強金具１１１のスライド補強片１１１ｂと下部扉体１０ａに固着された上部補強金具１１２におけるストッパ片１１２ｂとの上下方向の重なりがなくなり、下部扉体１０ａのストッパ片１１２ｂと上部扉体１０ｂのスライド補強片１１１ｂとの上下方向の重なりによる上部扉体１０ｂの上昇状態の維持が解除されるが、この上部扉体１０ｂの上昇状態の維持は下部扉体１０ａの軸受部１０３と上部扉体１０ｂの軸受部１０１とにより続行される。これは、前述したように下部および上部扉体１０ａ，１０ｂを開放した状態(図２（ｂ）)から上部扉体１０ｂに固着した上部補強金具１１２のストッパ片１１２ｂの下方に指を入れて上部扉体１０ｂを上方へ引上げた際、下部扉体１０ａにおける軸受部１０３の切欠き１０３ａ（図３参照）に嵌り込んでいた上部扉体１０ｂにおける軸受部１０１の係止片１０１ｂも上昇して前記切欠き１０３ａから抜け出る。そして、下部扉体１０ａが時計方向に回動すると下部扉体１０ａにおける軸受部１０３の係止片１０３ｂと上部扉体１０ｂにおける軸受部１０１の係止片１０１ｂとが上下方向に重なるようになる。したがって、上部扉体１０ｂを開放位置に停止させた状態で下部扉体１０ａを時計方向に回動させて下部扉体１０ａのストッパ片１１２ｂと上部扉体１０ｂのスライド補強片１１１ｂとの上下方向の重なりによる上部扉体１０ｂの上昇状態の維持が解除されても下部扉体１０ａにおける軸受部１０３の係止片１０３ｂと上部扉体１０ｂにおける軸受部１０１の係止片１０１ｂとが上下方向に重なることにより上部扉体１０ｂが上昇した状態に維持される。
【００２５】
前述したように下部扉体１０ａを閉じて商品の脱落を防止しつつ更に商品を装填して商品の補充が完了すると上部扉体１０ｂを閉じる。この場合、上部扉体１０ｂにおける軸受部１０１の係止片１０１ｂが下部扉体１０ａにおける軸受部１０３の係止片１０３ｂの上面を滑動して上部扉体１０ｂが回動する。この上部扉体１０ｂを閉じる途中において、上部扉体１０ｂの下端が下部扉体１０ａの上端に衝突する場合には上部扉体１０ｂを若干持ち上げて上部扉体１０ｂに固着された下部補強金具１１のスライド補強片１１１ｂを下部扉体１０ａに固着された上部補強金具１１２のストッパ片１１２ｂの上面に載せた後、上部扉体１０ｂを回動させる。そして、上部扉体１０ｂのスライド補強片１１１ｃが下部扉体１０ａのストッパ片１１２ｂから外れるまで上部扉体１０ｂを回動させると上部扉体１０ｂの下端が下部扉体１０ａの背後に位置するようになる。この後、さらに上部扉体１０ｂを時計方向に回動させて上部および下部扉体１０ａ，１０ｂの軸受部１０１，１０３における係止片１０１ａ，１０３ａの上下方向の重なりがなくなるまで回動させると、上部扉体１０ｂにおける軸受部１０１の係止片１０１ｂが下部扉体１０ａにおける軸受部１０３の切欠き１０３ａに、また、下部扉体１０ａにおける軸受部１０３の係止片１０３ｂが上部扉体１０ｂにおける軸受部１０１の切欠き１０１ａに嵌り込んで上部扉体１０ｂが下方にスライドする。これにより、上部扉体１０ｂは下部扉体１０ａに固着された上部補強金具１１２のストッパ片１１２ｂの背後の段差面に当接するまで下降して停止する。ここで、上部扉体１０ｂに固着された上部補強金具１１２の係止爪１１２ｄは、上部および下部扉体１０ｂ，１０ａの軸受部１０１，１０３における係止片１０１ｂ，１０３ｂの上下方向の重なりがなくなる直前にラックケース４ａの仕切壁４ｂ或いは前壁４ｃに形成した長穴４ｆ（図１参照）に進入し、上部扉体１０ｂが下方にスライドすることによって長穴４ｆに係合し、上部扉体１０ｂがラックケース４の開放面を閉塞した状態に保持する。
【００２６】
次に、下部および上部扉体１０ａ，１０ｂがラックケース４ａの開放面を閉塞した状態（図１）で、下部扉体１０ａを閉じたまま上部扉体１０ｂを開放する場合について説明する。この場合には、図２（ａ）に示した上部扉体１０ｂに固着された上部補強金具１１２のストッパ片１１２ｂの下方に指を入れて上部扉体１０ｂを上方へ引上げると、下降位置にある上部扉体１０ｂがヒンジピン１４，１５とともに上方へスライドする。上部扉体１０ｂの下端が下部扉体１０ａに固着された上部補強金具１１２のストッパ片１１２ｂの高さ位置を越えるまで上昇させると、上部扉体１０ｂに固着された上部補強金具１１２の係止爪１１２ｄとラックケース４ａの仕切壁４ｂ或いは前壁４ｃに形成した長穴４ｆ（図１参照）との係合が解除される。この状態では係止爪１１２ｄの先端は未だ長穴４ｅの中に進入した状態にある。また、上部扉体１０ｂにおける軸受部１０１の係止片１０１ｂ（図３参照）は下部扉体１０ａにおける軸受部１０３の切欠き１０３ａから抜け出るとともに下部扉体１０ａにおける軸受部１０３の係止片１０３ｂが上部扉体１０ｂにおける軸受部１０１の切欠き１０１ａから相対的に抜け出た状態にある。
【００２７】
前述したように上部扉体１０ｂを上昇させた状態を維持しつつ上部扉体１０ｂを，ヒンジピン１４，１５を支点として反時計方向に回動させ、上部扉体１０ｂの下端が下部扉体１０ａのストッパ片１１２ｂに上下方向に重なる位置まで回動させると、上部扉体１０ｂが下部扉体１０ａのストッパ片１１２ｂの上に載ることによって上部扉体１０ｂから手を離しても上部扉体１０ｂは上昇位置に保持される。このように下部扉体１０ａのストッパ片１１２ｂに上部扉体１０ｂを載せた状態で上部扉体１０ｂを反時計方向に回動させると上部扉体１０ｂに固着された下部補強金具１１１のスライド補強片１１１ｃが下部扉体１０ａのストッパ片１１２ｂの上縁を滑動して上部扉体１０ｂが回動する。そして、上部扉体１０ｂを図２（ｃ）に示すように回動させることにより上部扉体１０ｂに対応するラックケース４ａの開放面が全開される。
【００２８】
この場合、上部扉体１０ｂの開放停止角度は、商品補充の容易性および不測の事態により上部扉体１０ｂを開放した状態で商品収納ラック４が庫内に押し込まれた場合に扉体１０が自動的に閉じるようにするために９０度〜１２０度の範囲が望ましく、図示は省略しているが下部扉体１０ｂに固着された上部補強金具１１２のストッパ片１１２ｂの端部にストッパを形成することができる。
なお、上部扉体１０ｂを全開位置まで開放可能なように構成する場合には、前記下部扉体１０ｂに固着された上部補強金具１１２のストッパ片１１２ｂの端部にストッパを設ける必要はない。この場合、図７に示すように上部扉体１０ｂを全開位置まで開放する途中の状態で上部扉体１０ｂに固着された下部補強金具１１１のスライド補強片１１１ｃが下部扉体１０ａのストッパ片１１２ｂの上縁から外れるが、上部扉体１０ｂにおける軸受部１０１の係止片１０１ｂが下部扉体１０ａにおける軸受部１０３の係止片１０３ｂの上面を滑動していることから上部扉体１０ｂは下方にスライドすることなく全開位置まで開放される。
【００２９】
次に、図２（ｃ）のように開放された上部扉体１０ｂを閉じる場合について説明する。この場合には上部扉体１０ｂをヒンジピン１４，１５を中心として時計方向に回動させる。この時、上部扉体１０ｂに固着された下部補強金具１１１のスライド補強片１１１ｃが下部扉体１０ａのストッパ片１１２ｂの上縁を滑動しながら上部扉体１０ｂは回動する。そして、上部扉体１０ｂの前記スライド補強片１１１ｃが下部扉体１０ａのストッパ片１１２ｂから外れる位置まで上部扉体１０ｂを回動させると上部扉体１０ｂが下部扉体１０ａの前記ストッパ片１１２ｂの背後に位置するようになる。この状態で上部扉体１０ｂに固着された上部補強金具１１２の係止片１１２ｄの先端がラックケース４ａの仕切壁４ｂ或いは前壁４ｃに形成した長穴４ｆ（図１参照）に進入する。この後さらに上部扉体１０ｂを時計方向に回動させると上部および下部扉体１０ｂ，１０ａの軸受部１０１，１０３における係止片１０１ｂ，１０３ｂの上下方向の重なりがなくなり、上部扉体１０ｂにおける軸受部１０１の係止片１０１ｂが下部扉体１０ａにおける軸受部１０３の切欠き１０３ａに、また、下部扉体１０ａにおける軸受部１０３の係止片１０３ｂが上部扉体１０ｂにおける軸受部１０１の切欠き１０１ａに嵌り込むと上部扉体１０ｂが下方にスライドする。これにより、上部扉体１０ｂは下部扉体１０ａに固着された上部補強金具１１２のストッパ片１１２ｂの背後の段差面に当接するまで下降して停止する。ここで、上部扉体１０ｂに固着された上部補強金具１１２の係止爪１１２ｄは、上部および下部扉体１０ｂ，１０ａの軸受部１０１，１０３における係止片１０１ｂ，１０３ｂの上下方向の重なりがなくなる直前にラックケース４ａの仕切壁４ｂ或いは前壁４ｃに形成した長穴４ｆ（図１参照）に進入し、上部扉体１０ｂが下方にスライドすることによって長穴４ｆに係合し、上部扉体１０ｂがラックケース４の開放面を閉塞した状態に保持する。
【００３０】
前述した実施の形態では扉体１０を上下に２分割したものについて説明したが、本発明はこれに限定されるものではなく、三つ以上に分割したものも含むものである。この場合、最下部の分割扉体の開閉に伴って上方の分割扉体が一括して開放され、上下に隣接する分割扉体のうち上部側の分割扉体が下部側の分割扉体に対して独立して開閉自在とすることによって同様の効果を奏することができる。
【００３１】
前述したとおり本発明によれば、上部扉体１０ｂは下部扉体１０ａに対して独立して開閉自在であることから、商品収納コラムにおける空になった領域に対応する扉体を開放して商品の補充を行うことができるので当該領域から下方に積み上げて収容された商品の脱落を防止することができる。また、上部扉体１０ｂを下部扉体１０ａの開閉に連動して開閉可能であることから、商品の売切れ時や自動販売機の設置時或いは商品収納ラック内の商品を販売中の商品とは異なる商品に変更する商品の入れ替え時などのようにベンドメックの下部フラッパの上に商品を一から補充するような場合には下扉体１０ａを開閉することにより上部扉体１０ｂが下部扉体１０ａに連動して開閉、すなわち、下部扉体１０ａを開閉することにより上部扉体１０ｂを一括して開閉できるので扉体１０を開閉する手間を最小限とすることができる効果を有する。
【図面の簡単な説明】
【００３２】
【図１】本発明の一実施例を示す自動販売機の商品収納ラックの側面図
【図２】図１の自動販売機の商品収納ラックにおける扉体の開閉状態を示し、（ａ）は扉体の閉塞状態の説明図、（ｂ）は扉体の開放状態の説明図、（ｃ）は上部扉体を開放した状態の説明図
【図３】図２に示した扉体の軸受部の構造を説明する拡大図
【図４】図２の上部補強金具の構造を示し、（ａ）はその斜視図、（ｂ）は（ａ）の左側面図
【図５】図２の下部補強金具の構造を示す斜視図
【図６】図２（ａ）の扉体の開閉状態の要部を示す要部拡大図
【図７】図２（ｃ）の扉体の開閉状態の要部を示す要部拡大図
【図８】従来の商品収納ラックを備えた自動販売機の一例を示す斜視図
【図９】図８の商品収納ラックを示す斜視図
【符号の説明】
【００３３】
１    本体キャビネット
２    外扉
３    内扉
４    商品収納ラック
４ａ    ラックケース
４ｂ    仕切壁
４ｃ    商品収納コラム
４ｆ    長穴
１０    扉体
１０ａ    下部扉体
１０ｂ    上部扉体
１１    ヒンジ
１３，１４，１５    ヒンジピン
１６    取付金具
１１１    下部補強金具
１１２    上部補強金具
１１２ｄ    係止爪
【図１】
2007193468.tif 000003
【図２】
2007193468.tif 000004
【図３】
2007193468.tif 000005
【図４】
2007193468.tif 000006
【図５】
2007193468.tif 000007
【図６】
2007193468.tif 000008
【図７】
2007193468.tif 000009
【図８】
2007193468.tif 000010
【図９】
2007193468.tif 000011